(57)【特許請求の範囲】
【請求項１】
洗浄水を吐水する吐水部と、
上記吐水部から吐水された洗浄水を受け、底部に形成された排水口から洗浄水を排出する手洗い器と、
上記手洗い器の下方に設けられ、上記排水口から排出された洗浄水を受けるボウル部を備えた小便器と、を有する手洗い器付き小便器において、
上記ボウル部は、前面壁、側面壁及び後面壁により構成され、上記後面壁から上記側面壁に亘り下方向へと傾斜して形成される棚部を備え、
上記小便器には、洗浄水を吐水し上記ボウル部を洗浄する便器吐水部が設けられ、平面視で、上記便器吐水部と上記排水口との位置が重ならないように配置されていることを特徴とする手洗い器付き小便器。
【請求項２】
上記棚部は、上記排水口の下方の後面壁から上記側面壁及び上記前面壁に亘り、弧状に延びて形成されている請求項１記載の手洗い器付き小便器。
【請求項３】
上記排水口は複数設けられ、上記手洗い器の底部に、上記後面壁に沿って略直線状に形成される請求項１又は２記載の手洗い器付き小便器。
【請求項４】
上記排水口から吐水される洗浄水が、瞬間流量２Ｌ／ｍｉｎ以上７Ｌ／ｍｉｎ以下で上記排水口から上記ボウル部へと吐水される請求項１乃至３の何れか１項に記載の手洗い器付き小便器。
【発明の詳細な説明】
【技術分野】
【０００１】
本発明は、手洗い器を備えた手洗い器付き小便器に関する。
【背景技術】
【０００２】
従来から、トイレ空間のスペースを有効に使用するため、又は節水化をするために手洗い器と小便器を一体にした手洗い器付き小便器が知られている。このような手洗い器付き小便器では、手洗い器の手洗排水口が手洗い器のボウル面の底部中央に一か所だけ配置され、この一つの手洗排水口から吐水された洗浄水により小便器本体のボウル面を洗浄している（例えば、特許文献１参照）。
また、手洗排水口を小便器への洗浄水の吐水口である複数のよどかけ穴と繋げ、このよどかけ穴から吐水された洗浄水により小便器本体のボウル面を洗浄しているものもある（例えば、特許文献２参照）。
【先行技術文献】
【特許文献】
【０００３】
【特許文献１】特開平５−３２１３１２号公報
【特許文献２】特開平４−１７４１４４号公報
【発明の概要】
【発明が解決しようとする課題】
【０００４】
しかしながら、上述した特許文献１に示すような手洗い付き小便器においては、手洗排水口が手洗い器のボウル面の底部中央に一か所だけに配置され、これから吐水される洗浄水で小便器本体を洗浄するため、手洗排水口から吐水された洗浄水は、小便器ボウル面の一部である正面部分にしか行き渡らず、小便器本体のボウル面全体を洗うことができないという問題があった。
【０００５】
一方、上述した特許文献２に示すような手洗い付き小便器においても、手洗排水口から吐水された洗浄水が小便器ボウル面の前方端である小便器リップ裏面には行き渡らず、小便器本体のボウル面全体を洗うことができないという問題があった。
また、このような問題を解決するために、小便器本体に小便器ボウル面専用のスプレッダを設け、スプレッダから吐水された洗浄水により小便器ボウル面を洗浄することが考えられるが、このような場合、手洗排水口から排水された洗浄水が小便器スプレッダにかかり、衛生性が低下するという問題があった。
【０００６】
そこで、本発明は、上記問題を解決するためになされたもので、手洗排水口から排水された洗浄水を小便器ボウル部に吐水することができ、その手洗排水口から吐水された洗浄水を使用して、衛生的に小便器ボウル部全体を洗浄することができるようにする手洗い器付き小便器を提供することを目的としている。
【課題を解決するための手段】
【０００７】
上記目的を達成するために、本発明は、洗浄水を吐水する吐水部と、吐水部から吐水された洗浄水を受け、底部に形成された排水口から洗浄水を排出する手洗い器と、手洗い器の下方に設けられ、排水口から排出された洗浄水を受けるボウル部を備えた小便器と、を有する手洗い器付き小便器において、ボウル部は、前面壁、側面壁及び後面壁により構成され、後面壁から側面壁に亘り下方向へと傾斜して形成される棚部を備え、小便器には、洗浄水を吐水しボウル部を洗浄する便器吐水部が設けられ、平面視で、便器吐水部と排水口との位置が重ならないように配置されていることを特徴としている。
このように構成された本発明においては、手洗い器の排水口の下方の小便器のボウル部に、後面壁から側面壁に亘り下方向へと傾斜して形成される棚部が形成されているため、手洗い器の排水口から排出された洗浄水をボウル部へと全体的に誘導することができ、洗浄水をボウル部全体に行き渡らせることができる。また、手洗い器の排水口は、小便器のボウル部の便器吐水部以外の領域に向けて開口しているため、便器吐水部を汚すことなく排水口から排水された洗浄水をボウル部内に排水することができ、衛生性を向上させることができる。
【０００８】
本発明において、好ましくは、棚部は、排水口の下方の後面壁から側面壁及び前面壁に亘り、弧状に延びて形成されている。
このように構成された本発明においては、手洗い器の排水口から吐水された洗浄水を小便器のボウル部全体に行き渡らせることができ、ボウル部の側面壁及びボウル部の前面壁まで洗浄することができる。また、排水口から吐水された洗浄水を使用者の目の届く範囲まで運ぶことができるので、排水口から吐水された洗浄水が便器ボウル部の洗浄に寄与していることを使用者に視覚的に認知させることができる。
【０００９】
本発明において、好ましくは、排水口は複数設けられ、手洗い器の底部に、後面壁に沿って略直線状に形成される。
このように構成された本発明においては、手洗い器の排水口は小便器のボウル部の後面壁に沿うように略直線状に複数個設けれられるため、排水口から排水された洗浄水をボウル部全体に行き渡らせることができる。
【００１０】
本発明において、好ましくは、排水口から吐水される洗浄水が、瞬間流量２Ｌ／ｍｉｎ以上７Ｌ／ｍｉｎ以下で排水口からボウル部へと吐水される。
このように構成された本発明においては、手洗い器の排水口から排水された洗浄水を小便器のボウル部全体に行き渡らせることができ、かつ、洗浄水の水跳ねを防止することができ良好に小便器のボウル部を洗浄することができる。
【発明の効果】
【００１２】
本発明の手洗い器付き小便器によれば、手洗排水口から排水された洗浄水を小便器ボウル部に吐水することができ、その手洗排水口から吐水された洗浄水を使用して、衛生的に小便器ボウル部全体を洗浄することができる手洗い器付き小便器を提供することができる。
【図面の簡単な説明】
【００１３】
【図１】本発明の実施形態による手洗い器付き小便器を示す斜視図である。
【図２】本発明の実施形態による手洗い器付き小便器を示す正面図である。
【図３】本発明の実施形態による手洗い器付き小便器の上面図である。
【図４】図２のＩＶ―ＩＶ線に沿って見た部分断面図である。
【発明を実施するための形態】
【００１４】
以下、図１乃至図４を参照して、本発明の実施形態による手洗い器付き小便器を説明する。図１は本発明の実施形態による手洗い器付き小便器を示す斜視図であり、図２は本発明の実施形態による手洗い器付き小便器を示す正面図であり、図３は本発明の実施形態による手洗い器付き小便器の上面図であり、図４は図２のＩＶ―ＩＶ線に沿って見た部分断面図である。
【００１５】
図１に示すように、本発明の実施形態による手洗い器付き小便器１は、小便器本体２と、この小便器本体２の上方に設けられた手洗い器本体４とを備えており、小便器本体２と手洗い器本体４は、一体構造となっている。
小便器本体２は、小便を洗浄する洗浄水を吐水する便器吐水部６と、便器吐水部６から吐水された洗浄水を受ける便器ボウル部８とを備えている。
【００１６】
便器吐水部６は、便器ボウル部８の左右中心軸線上の便器ボウル部８の中央より上方の高さ位置に配置されている。便器吐水部６は、この上流側に設けられた便器給水流路１０に接続され、この便器給水流路１０は給水配管（図示せず）に接続されている。
【００１７】
便器ボウル部８は、便器ボウル部８の前面を形成する前面壁８ａと、便器ボウル部８の後面を形成する後面壁８ｂと、この側面に形成された側面壁８ｃと、この側面壁８ｃ上において洗浄水を前方に誘導する段差を形成する棚部１６と、この側面壁８ｃの周囲を取り囲む外側壁面１８とを備える。この便器ボウル部８のその底部には、洗浄水を排出する便器排水口２０が形成され、便器排水口２０は、この下流側に設けられた排水流路２２に接続されている。この排水流路２２は、下流側の排水配管（図示せず）に連結されている。
【００１８】
側面壁８ｃは、小便器本体２の上部から底部まで延び、手洗い器本体４をその前面左右両側から後方にかけて覆うような壁形状に形成され、手洗い器本体４から下方に延びる流面を形成している。棚部１６は、手洗排水口２８の近傍であり便器吐水部６近傍から便器ボウル部８の底部前方である便器ボウル部８の前面壁８ａまで下方に張り出して湾曲した弧状に延びている。棚部１６は棚状に形成されており、その上面を洗浄水が乗ることできるようになっている。これにより、手洗排水口２８から吐水された洗浄水が棚部１６上を乗りつつ流下していくことで便器ボウル部８の前面壁８ａまでの便器ボウル部８全体を万遍なく洗浄することができるようになっている。
【００１９】
手洗排水口２８から吐水される洗浄水は、瞬間流量２Ｌ／ｍｉｎ以上７Ｌ／ｍｉｎ以下で手洗排水口２８から便器ボウル部８へと吐水されるように手洗排水口２８の形状が形成されている。瞬間流量２Ｌ／ｍｉｎより小さければ洗浄水が棚部１６に乗ることができずに便器ボウル部８全体を万遍なく洗浄することができない。また、７Ｌ／ｍｉｎより大きければ、便器ボウル８から便器外へと水跳ねが生じることとなる。
【００２０】
図１に示すように、手洗い器本体４は、手洗い用の洗浄水を前方下方に向かって吐水できるように設けられている手洗吐水部２４と、手洗吐水部２４から吐水された洗浄水を受ける手洗ボウル部２６とを備えている。
【００２１】
手洗ボウル部２６は、ボウル形状（鉢形状）に形成され、手洗吐水部２４の下方に配置されている。
手洗ボウル部２６は、手洗ボウル部２６の側面を形成する側面壁２６ａと、手洗ボウル部の後面を形成する後面壁２６ｂと、手洗ボウル部の底部２６ｃと、手洗ボウル部の前面を形成する前面壁２６ｄと、を備えている。
手洗ボウル部２６の側面壁２６ａは、その前方上部において小便器のボウル部の側面壁８ｃと接合し、小便器のボウル部の側面壁８ｃとほぼ同一面に形成されている。
【００２２】
手洗ボウル部２６の底部２６ｃは、側面壁２６ａ、後面壁２６ｂ及び前面壁２６ｄの下部と接続されている。底部２６ｃには、６つの手洗排水口２８が形成され、手洗排水口２８が鉛直方向下方に延びて便器ボウル部８内側と連通し、手洗排水口から排出された洗浄水を便器ボウル部８に供給するようになっている。
手洗排水口２８は手洗ボウル部２６の底部２６ｃに小便器のボウル部の後面壁８ｂに沿うように左右方向に略直線状に、左右３つずつ、計６つ設けられており、その場所は上面視で便器吐水部６と重ならない様に配置されている。
また、手洗排水口２８の開口は、便器ボウル部８の便器吐水部６以外の領域に向けて開口している。
【００２３】
手洗ボウル部２６の前面壁２６ｄは、手洗ボウル部２６の前側上方から後側下方へと下り傾斜して形成されている。この前面壁２６ｄの上端には、前面壁２６ｄの上縁２６ｅが形成されている。手洗ボウル部２６の前面壁２６ｄの下側面（下側壁）２６ｊは、手洗ボウル部２６の前側上方から後側下方へと下り傾斜して形成されている。
【００２４】
この上縁２６ｅは、手洗ボウル部２６の前側端部を形成し、この上縁２６ｅの中央部２６ｆが頂部を形成し、小便器のボウル部の側面壁８ｃに接続される両端部２６ｇに向かって下降するようなアール形状（弧形状）に形成されている。
【００２５】
この上縁２６ｅの中央部２６ｆはこの上縁２６ｅの両端部２６ｇよりも上方に突出し且つこの上縁２６ｅの両端部２６ｇよりも前方に突出して形成される。従って、この上縁２６ｅの高さ位置は、この上縁２６ｅの中央部２６ｆの高さ位置よりも低い高さ位置に配置され、両端部２６ｇが上縁２６ｅの最下部を形成している。この上縁２６ｅの両端部２６ｇの高さ位置は、側面壁２６ａの側面壁上縁２６ｈよりも一段下がった高さ位置に設定され、さらに、側面壁２６ａの側面壁上縁２６ｈの位置及び後面壁２６ｂの後面壁上縁２６ｉの位置よりも低い高さ位置、すなわち手洗ボウル部２６の全周面壁の上縁の高さ位置の内で最も低い高さ位置に設定されている。従って、手洗ボウル部２６の手洗排水口２８が詰まって手洗ボウル部２６から洗浄水が溢れ出る場合には、前面壁２６ｄの上縁２６ｅによってガイドされて、洗浄水が手洗ボウル部２６の前側の両端部２６ｇ上の、両端部２６ｇと小便器のボウル部の側面壁８ｃとの間の空間から溢れ出るようになっている。
【００２６】
図２に示すように、手洗い器付き小便器１には、さらに、手洗吐水部２４の内部の最前面に配置された手洗吐水用赤外センサ４０と、建築物の壁面３０の裏側に配置され、手洗吐水用赤外センサ４０が検出した検出情報に基づいて、手洗い器本体４の手洗洗浄作用を制御する制御手段である手洗吐水制御部４２と、この手洗吐水制御部４２からの制御信号に従って、洗浄水を手洗吐水部２４から吐水させる吐水手段である手洗吐水電磁弁４４とが設けられている。
手洗吐水用赤外センサ４０は、赤外線を検出するセンサであり、使用者の手、腕、手に持ったコップや洗浄用具等の器具を検出すると検出信号を手洗吐水制御部４２に送るようになっている。
手洗吐水電磁弁４４は、手洗い器給水流路４６に設けられ、手洗吐水制御部４２から送
られる制御信号に基づいて開閉される。
【００２７】
手洗い器付き小便器１には、さらに、壁面３０の小便器本体２の上方の裏側に配置された光電センサ３２と、この光電センサ３２が検出した検出情報に基づいて、小便器本体２の洗浄作用を制御する制御手段である便器吐水制御部３４と、この便器吐水制御部３４からの制御信号に従って、洗浄水を便器吐水部６から便器ボウル部８に吐水させる吐水手段である便器吐水電磁弁３６とが設けられている。
【００２８】
次に、本発明の実施形態による手洗い器付き小便器の動作を説明する。
【００２９】
先ず、本発明の実施形態による手洗い器付き小便器の小便洗浄動作について説明する。
通常、使用者が手洗い器付き小便器１の前に立つと、光電センサ３２が使用者の存在を検出して検出情報を便器吐水制御部３４に送る。放尿を済ませた使用者が手洗い器付き小便器１の前から立ち去るときに、光電センサ３２が使用者の存在を検出しなくなる非検出状態となり、便器吐水制御部３４は使用者が手洗い器付き小便器１から立ち去ったと認識して、便器吐水制御部３４は小便洗浄動作を開始する。
便器吐水制御部３４は、便器吐水電磁弁３６を開き、洗浄水を便器吐水部６から便器ボウル部８に吐水させる。この洗浄水は、便器ボウル部８を流下し便器排水口２０より排出され、この下流の排水流路２２を通過し、さらに下流側の排水配管（図示せず）に流れる。便器吐水制御部３４は、一定時間が経過すると便器吐水電磁弁３６を閉止して、便器吐水部６からの吐水を終了させる。
【００３０】
次に、本発明の実施形態による手洗い器付き小便器１の手洗洗浄動作について説明する。
使用者が、手洗い器付き小便器１の前に立った状態或いは手洗い器付き小便器１の横等の位置（光電センサ３２が使用者の存在を検出しないような位置）に立った状態において、手等を手洗吐水用赤外センサ４０の検出範囲に移動させると、手洗吐水用赤外センサ４０が手等を検出して検出信号を手洗吐水制御部４２に送り、手洗吐水制御部４２が手洗吐水電磁弁４４を開いて、手洗吐水を開始する。吐水される洗浄水の量は単位時間あたり一定の流量に設定されている。洗浄水は、手洗吐水部２４から手洗ボウル部２６に向かって吐水され、手洗ボウル部２６内の洗浄水は、手洗排水口２８を通って流下し、小便器本体２の便器ボウル部８に流入し、小便器のボウル部の側面壁８ｃに沿って流下し、便器排水口２０より排出される。手洗吐水用赤外センサ４０が使用者の手等の存在を検出しなくなると、手洗吐水制御部４２が一定時間をおいて手洗吐水電磁弁４４を閉止して、手洗吐水部２４からの吐水を停止させる。
【００３１】
このように、使用者は小便器本体２の上部に設置されている手洗ボウル部２６で手を洗う。手洗いに使用された洗浄水は、手洗ボウル部２６に設置されている手洗排水口２８から小便器本体２の便器ボウル部８へと流れ落ち、便器ボウル部８の洗浄に使用される。使用者が立ち去った後、便器吐水部６よりボウル洗浄水が吐水され、便器ボウル部８を洗浄する。
手洗排水口２８は手洗ボウル部２６に左右３つずつ、計６つ設けられており、平面視で、その場所は便器吐水部６を避ける形で重ならないように設置されている。そのため手洗ボウル部２６に吐かれた痰などが便器吐水部６に直接かかることなく、且つ便器吐水部６からのボウル洗浄水で確実に洗い流すことができる。
【００３２】
また、手洗排水口２８の前方には手洗ボウル部２６の前面壁２６ｄがあり、手洗いに使用された洗浄水が外に水飛びせずに便器ボウル部８に排出される。そのため小便器本体２の便器ボウル部８外に手洗いに使用された洗浄水が飛び散ることがなく、小便器周辺の衛生性を保つことができる。
小便器本体２の便器ボウル部８は小便器のボウル部の側面壁８ｃ又は後面壁８ｂに便器吐水部６からの洗浄水を運ぶための棚部１６を左右に２つ有しており、手洗排水口２８は棚部１６の上方に３つずつ配置されている。そのため手洗いに使用された洗浄水を使用して小便器のボウル部の後面壁８ｂ及び側面壁８ｃを万遍なく洗浄することができ、衛生性を低下させることなく節水することができる。また手洗いに使用された洗浄水が棚部１６上に乗り、小便器のボウル部の前面壁側８ｂへと誘導されて流れることで、手洗いに使用された洗浄水を使用者の目の届く範囲まで運ぶことができる。よって、手洗いに使用された洗浄水が便器ボウル部の洗浄に寄与していることを使用者に視覚的に認知させることができる。
【００３３】
本発明の実施形態による手洗い器付き小便器１によれば、洗浄水を吐水する手洗吐水部２４と、手洗吐水部２４から吐水された洗浄水を受け、手洗ボウル部２６の底部２６ｃに形成された手洗排水口２８から洗浄水を排出する手洗い器本体４と、手洗い器本体４の下方に設けられ、手洗排水口２８から排出された洗浄水を受ける便器ボウル部８を備えた小便器本体２と、を有する手洗い器付き小便器１において、便器ボウル部８は、前面壁８ａ、側面壁８ｃ及び後面壁８ｂにより構成され、後面壁８ｂから側面壁８ｃに亘り下方向へと傾斜して形成される棚部１６を備える。
このように構成された手洗い器付き小便器１においては、手洗い器本体４の手洗排水口２８の下方の小便器本体２の便器ボウル部８に、後面壁８ｂから側面壁８ｃに亘り下方向へと傾斜して形成される棚部１６が形成されているため、手洗い器本体４の手洗排水口２８から排出された洗浄水を便器ボウル部８へと全体的に誘導することができ、洗浄水を便器ボウル部８全体に行き渡らせることができる。
【００３４】
本発明の実施形態による手洗い器付き小便器１によれば、好ましくは、棚部１６は、手洗排水口２８の下方の後面壁８ｂから側面壁８ｃ及び前面壁８ａに亘り、弧状に延びて形成されている。
このように構成された手洗い器付き小便器１においては、手洗い器本体４の手洗排水口２８から吐水された洗浄水を小便器本体２の便器ボウル部８全体に行き渡らせることができ、便器ボウル部８の側面壁８ｃ及び便器ボウル部８の前面壁８ａまで洗浄することができる。また、手洗排水口２８から吐水された洗浄水を使用者の目の届く範囲まで運ぶことができるので、手洗排水口２８から吐水された洗浄水が便器ボウル部８の洗浄に寄与していることを使用者に視覚的に認知させることができる。
【００３５】
本発明の実施形態による手洗い器付き小便器１によれば、好ましくは、手洗排水口２８は複数設けられ、手洗ボウル部２６の底部２６ｃに、後面壁８ｂに沿って略直線状に形成される。
このように構成された手洗い器付き小便器１においては、手洗排水口２８は小便器本体２の便器ボウル部８の後面壁８ｂに沿うように略直線状に複数個設けれられるため、手洗排水口２８から排水された洗浄水を便器ボウル部８全体に行き渡らせることができる。
【００３６】
本発明の実施形態による手洗い器付き小便器１によれば、好ましくは、手洗排水口２８から吐水される洗浄水が、瞬間流量２Ｌ／ｍｉｎ以上７Ｌ／ｍｉｎ以下で手洗排水口２８から便器ボウル部８へと吐水される。
このように構成された手洗い器付き小便器１においては、手洗い器本体４の手洗排水口２８から排水された洗浄水を小便器本体２の手洗ボウル部２６全体に行き渡らせることができ、かつ、洗浄水の水跳ねを防止することができ良好に小便器本体２の手洗ボウル部２６を洗浄することができる。
【００３７】
本発明の実施形態による手洗い器付き小便器１によれば、好ましくは、小便器本体２には、洗浄水を吐水し手洗ボウル部２６を洗浄する便器吐水部６が設けられ、平面視で、便器吐水部６と手洗排水口２８との位置が重ならないように配置されている。
このように構成された手洗い器付き小便器１においては、手洗ボウル部２６の手洗排水口２８は、小便器本体２の手洗ボウル部２６の便器吐水部６以外の領域に向けて開口しているため、便器吐水部６を汚すことなく手洗排水口２８から排水された洗浄水を手洗ボウル部２６内に排水することができ、衛生性を向上させることができる。
【符号の説明】
【００３８】
１            手洗い器付き小便器
２            小便器本体
４            手洗い器本体
６            便器吐水部
８            便器ボウル部
８ａ          小便器のボウル部の前面壁
８ｂ          小便器のボウル部の後面壁
８ｃ          小便器のボウル部の側面壁
１６          棚部
２０          便器排水口
２２          排水流路
２４          手洗吐水部
２６          手洗ボウル部
２６ａ        側面壁
２６ｃ        底部
２６ｄ        前面壁
２６ｅ        上縁
２６ｆ        中央部
２６ｇ        両端部
２８          手洗排水口
【図１】
0005915970.tif 000002
【図２】
0005915970.tif 000003
【図３】
0005915970.tif 000004
【図４】
0005915970.tif 000005